(57)【要約】【課題】  高機能電話サービスを低コストで実現する高機能電話サービス方法よびシステムを提供する。【解決手段】  加入者交換機２１は、電話端末１１から高機能電話サービスの発信があると、その発信にて指定された宛先番号に基づく高機能電話サービスの着信先を問い合わせる。ゲートウェイ２３は、第１の網２４にて加入者交換機２１から、宛先番号に基づく着信先の問合せがあると、第２の網３２にて、その着信先の問合せを行う。情報提供端末３１は、宛先番号に基づいて着信先を求めるための変換データを記憶しており、ゲートウェイ２３から問い合わせがあると、指定された宛先番号に基づいて着信先を求め、ゲートウェイ２３に通知する。ゲートウェイ２３は、得られた着信先を加入者交換機２１に通知する。加入者交換機２１は、得られた着信先に電話端末１１からの高機能電話サービスの呼を接続する。【選択図】      図１
2007006262.tif 000002
【特許請求の範囲】
【請求項１】
高機能電話サービスを提供するための高機能電話サービス方法であって、
電話サービスを提供する第１の網にて、電話端末から前記高機能電話サービスの発信があると、該発信にて指定された宛先番号に基づく前記高機能電話サービスの着信先を、前記第１の網と第２の網を接続するゲートウェイを介して、前記第２の網に接続され、宛先番号に基づいて着信先を求めるための変換データを記憶している情報提供端末から取得するステップと、
取得した前記着信先に前記電話端末からの前記高機能電話サービスの呼を接続するステップと、を有する高機能電話サービス方法。
【請求項２】
前記宛先番号毎に複数の前記変換データがあり、複数の前記変換データはグリッド化により複数の前記情報提供端末に分散して記憶されており、
前記ゲートウェイは、指定された前記宛先番号の前記変換データを記憶している前記情報提供端末に対して、該宛先番号に基づく着信先の問合せを行う、請求項１に記載の高機能電話サービス方法。
【請求項３】
前記高機能電話サービスは、所定の特番を含む宛先番号が指定された発信があると、該宛先番号に対応する着信先に呼を接続して、該着信先に通話料を課金するサービスであり、
前記変換データは、宛先番号と、該宛先番号に対応する着信先を示す情報とを含み、
前記情報提供端末は、前記宛先番号を指定した問合せがあると、前記変換データを参照して、該宛先番号に対応する着信先を求める、請求項１または２に記載の高機能電話サービス方法。
【請求項４】
前記高機能電話サービスは、所定の特番を含む宛先番号が指定された発信があると、該宛先番号に対応する着信候補の中から最適な着信先に呼を接続するサービスであり、
前記変換データは、宛先番号と、該宛先番号に対応する少なくとも１つの着信候補を示す情報とを含み、
前記情報提供端末は、前記宛先番号を指定した問合せがあると、前記変換データを参照して、該宛先番号に対応する着信候補の中から最適な着信先を求める、請求項１または２に記載の高機能電話サービス方法。
【請求項５】
前記情報提供端末は、前記宛先番号に対応する着信候補の中から、発信元の前記電話端末に最も近いものを最適な着信先として選択する、請求項４記載の高度電話サービス方法。
【請求項６】
高機能電話サービスを提供する高機能電話サービスシステムであって、
電話サービスを提供する第１の網にて電話端末を収容しており、前記電話端末から前記高機能電話サービスの発信があると、該発信にて指定された宛先番号に基づく前記高機能電話サービスの着信先を問い合わせ、得られた着信先に前記電話端末からの前記高機能電話サービスの呼を接続する加入者交換機と、
前記第１の網と第２の網を接続しており、前記第１の網にて前記加入者交換機から、前記宛先番号に基づく着信先の問合せがあると、前記第２の網にて、該着信先の問合せを行い、得られた着信先を前記加入者交換機に通知するゲートウェイと、
前記第２の網に接続され、宛先番号に基づいて着信先を求めるための変換データを記憶しており、前記ゲートウェイから問い合わせがあると、指定された前記宛先番号に基づいて着信先を求め、前記ゲートウェイに通知する情報提供端末と、を有する高機能電話サービスシステム。
【請求項７】
前記宛先番号毎に複数の前記変換データがあり、複数の前記変換データはグリッド化により複数の前記情報提供端末に分散して記憶されており、
前記ゲートウェイは、前記加入者交換機からの問合せにて指定された前記宛先番号の前記変換データを記憶している前記情報提供端末に対して、該宛先番号に基づく着信先の問合せを行う、請求項６に記載の高機能電話サービスシステム。
【請求項８】
前記高機能電話サービスは、所定の特番を含む宛先番号が指定された発信があると、該宛先番号に対応する着信先に呼を接続して、該着信先に通話料を課金するサービスであり、
前記変換データは、宛先番号と、該宛先番号に対応する着信先を示す情報とを含み、
前記情報提供端末は、前記ゲートウェイから前記宛先番号を指定した問合せがあると、前記変換データを参照して、該宛先番号に対応する着信先を求め、前記ゲートウェイに通知する、請求項６または７に記載の高機能電話サービスシステム。
【請求項９】
前記高機能電話サービスは、所定の特番を含む宛先番号が指定された発信があると、該宛先番号に対応する着信候補の中から最適な着信先に呼を接続するサービスであり、
前記変換データは、宛先番号と、該宛先番号に対応する少なくとも１つの着信候補を示す情報とを含み、
前記情報提供端末は、前記ゲートウェイから前記宛先番号を指定した問合せがあると、前記変換データを参照して、該宛先番号に対応する着信候補の中から最適な着信先を求め、前記ゲートウェイに通知する、請求項６または７に記載の高機能電話サービスシステム。
【請求項１０】
前記情報提供端末は、前記宛先番号に対応する着信候補の中から、発信元の前記電話端末に最も近いものを最適な着信先として選択する、請求項９記載の高度電話サービスシステム。
【発明の詳細な説明】
【技術分野】
【０００１】
本発明は、高機能電話サービスを提供するシステムおよび方法に関する。
【背景技術】
【０００２】
従来、特殊番号（以下「特番」という）を用いた各種の高機能電話サービスが提供されている（非特許文献１、２参照）。代表的なものとして、例えば、０１２０で始まる番号をダイヤルすることにより利用可能な着信課金電話接続サービス、また０５７０で始まる番号をダイヤルすることにより利用可能な発信者直近電話接続サービスがある。
【０００３】
この種の高機能電話サービスでは、特番で示される高機能電話サービスにて発信者の指定した宛先番号を、その高機能電話サービス呼を実際に接続する宛先の物理的接続先番号に変換する必要がある。そのため、従来では、予め番号変換テーブルを記録したデータベースを電話網に設置しておき、発信電話端末から宛先番号を受信した交換機が、番号変換テーブルを参照して実際の宛先の物理的接続先番号を調べることにより番号変換を行っていた。
【非特許文献１】“平成１１年度第２回  インタフェース開示  説明会資料  Ｈ１１−２−１  加入者交換機高度サービス接続インタフェース（信号網接続インタフェース）”［online］、平成１１年６月１４日、東日本電信電話株式会社、［平成１７年４月１４日検索］、インターネット＜ＵＲＬ： http://www.ntt-east.co.jp/info-st/netplan/intface/h1102/index.html＞
【非特許文献２】"接続約款  技術的条件集  別表１９．１  ＩＮＡＰ仕様（網内信号部）"、［online］、平成１１年７月１日、西日本電信電話株式会社、［平成１７年６月６日検索］、インターネット＜ＵＲＬ：http://www.ntt-west.co.jp/open/sougo_yakkan/yakkan/sitei_pdf/gbetsu_19-1.pdf＞
【発明の開示】
【発明が解決しようとする課題】
【０００４】
高機能電話サービスを実現するためには、番号変換テーブルを記録するデータベースを網内に備え、高機能電話サービスの宛先番号と物理的接続先番号との対応データを番号変換テーブルに登録する必要があった。
【０００５】
しかし、そのようなデータベースを備えることは網設備のコストアップにつながっていた。また、そのようなデータベースの設備や番号変換テーブルのデータを維持することは人件費を含む費用の増大につながっていた。そして、それらの費用が利用料金に反映されれば低料金化の妨げにもなる。
【０００６】
本発明の目的は、高機能電話サービスを低コストで実現する高機能電話サービス方法よびシステムを提供することである。
【課題を解決するための手段】
【０００７】
上記目的を達成するために、本発明のシステムは、高機能電話サービスを提供する高機能電話サービスシステムであって、
電話サービスを提供する第１の網にて電話端末を収容しており、電話端末から高機能電話サービスの発信があると、その発信にて指定された宛先番号に基づく高機能電話サービスの着信先を問い合わせ、得られた着信先に電話端末からの高機能電話サービスの呼を接続する加入者交換機と、
第１の網と第２の網を接続しており、第１の網にて加入者交換機から、宛先番号に基づく着信先の問合せがあると、第２の網にて、その着信先の問合せを行い、得られた着信先を加入者交換機に通知するゲートウェイと、
第２の網に接続され、宛先番号に基づいて着信先を求めるための変換データを記憶しており、ゲートウェイから問い合わせがあると、指定された宛先番号に基づいて着信先を求め、ゲートウェイに通知する情報提供端末と、を有している。
【０００８】
したがって、本発明によれば、変換データを情報提供端末に予め記録しておき、高機能電話サービスの発信を受けた加入者交換機が、指定された宛先番号に対応する着信先をゲートウェイに問合せ、ゲートウェイが情報提供端末に着信先を問合せ、加入者交換機がゲートウェイを介して情報提供端末から取得した着信先に呼を接続するので、大量の変換データのテーブルを格納するデータベースを第１の網の設備として備える必要が無く、低コストで高機能電話サービスを提供することができる。
【０００９】
また、宛先番号毎に複数の変換データがあり、複数の変換データはグリッド化により複数の情報提供端末に分散して記憶されており、
ゲートウェイは、加入者交換機からの問合せにて指定された宛先番号の変換データを記憶している情報提供端末に対して、その宛先番号に基づく着信先の問合せを行うこととしてもよい。
【００１０】
したがって、これによれば、グリッド化により変換データが複数の情報提供端末に分散して記憶されており、ゲートウェイは、所望の宛先番号に関する変換データを有する情報提供端末に対して問合せを行うので、特定の情報提供端末へのアクセスの集中が起こり難い。
【００１１】
また、高機能電話サービスは、所定の特番を含む宛先番号が指定された発信があると、その宛先番号に対応する着信先に呼を接続して、その着信先に通話料を課金するサービスであり、
変換データは、宛先番号と、その宛先番号に対応する着信先を示す情報とを含み、
情報提供端末は、ゲートウェイから宛先番号を指定した問合せがあると、変換データを参照して、その宛先番号に対応する着信先を求め、ゲートウェイに通知することとしてもよい。
【００１２】
また、高機能電話サービスは、所定の特番を含む宛先番号が指定された発信があると、その宛先番号に対応する着信候補の中から最適な着信先に呼を接続するサービスであり、
変換データは、宛先番号と、その宛先番号に対応する少なくとも１つの着信候補を示す情報とを含み、
情報提供端末は、ゲートウェイから宛先番号を指定した問合せがあると、変換データを参照して、その宛先番号に対応する着信候補の中から最適な着信先を求め、ゲートウェイに通知することとしてもよい。
【００１３】
また、情報提供端末は、宛先番号に対応する着信候補の中から、発信元の電話端末に最も近いものを最適な着信先として選択することとしてもよい。
【発明の効果】
【００１４】
本発明によれば、大量の変換データのテーブルを格納するデータベースを第１の網の設備として備える必要が無く、低コストで高機能電話サービスを提供することができる。
【発明を実施するための最良の形態】
【００１５】
本発明を実施するための形態について図面を参照して詳細に説明する。なお、以下の説明は、本発明の理解を助けるためのものであり、本発明の技術的範囲を限定するものではない。また、図面では同様な機能を有する構成要素には同じ符号を付与する。
【００１６】
（第１の実施形態）
図１は、本発明の第１の実施形態による高機能電話サービスシステムの構成を示すシステム構成図である。第１の実施形態として、“０１２０”で指定される無料接続高機能電話サービスを提供するシステムが例示される。無料接続高機能電話サービスとは、通話料金を着信側に課金することで発信側の通話料を無料にするサービスである。
【００１７】
図１を参照すると、第１の実施形態による高機能電話サービスシステムは、電話端末１１〜１４、加入者交換機２１、２２、ゲートウェイ２３、共通線網２４、インターネット端末３１、およびインターネット３２を有している。
【００１８】
加入者交換機２１、２２、およびゲートウェイ２３は、共通線網２４で相互に接続されている。ゲートウェイ２３はさらにインターネット３２に接続されており、インターネット３２にはさらにインターネット端末３１が接続されている。また、加入者交換機２１には電話端末１１〜１３が収容され、加入者交換機２２には電話端末１４が収容されている。
【００１９】
電話端末１１〜１３は、通話等の電話サービスに用いられる端末であり、利用者の操作により無料接続高機能電話サービスの発信を行うことができる。
【００２０】
電話端末１４は、電話端末１１〜１３と同様に電話サービスに用いられる端末であるが、無料接続高機能電話サービスの着信を行うことができる点で電話端末１１〜１３と異なる。
【００２１】
加入者交換機２１、２２は、加入者を収容する交換機であり、共通線信号網２４を用いて制御信号を送受信し、呼の接続および切断の処理を行う。また、加入者交換機２１、２２は、収容している電話端末から無料接続高機能電話サービスの発信を受けると、指定された宛先番号を伴ってゲートウェイ２３に問い合わせて、その宛先番号に対応する物理的接続先番号を取得し、その物理的接続先番号に無料接続高機能電話サービス呼を接続する。
【００２２】
インターネット端末３１は、インターネット３２に接続されており、インターネット３２経由でアクセスされる端末である。インターネット端末３１は、無料接続高機能電話サービスにおいて指定される宛先番号と、その宛先番号に対応する物理的接続先番号との対応を示す番号変換データを予め記憶している。
【００２３】
無料接続高機能電話サービスの番号変換データは、無料接続高機能電話サービスの宛先番号毎にあるが、グリッド化されており複数のインターネット端末３１に分散して記憶されている。本実施形態では、インターネット端末３１は、無料接続高機能電話サービスの着信が可能な電話端末１４に関する番号変換データを記憶している。そして、ゲートウェイ２３からのアクセスで無料接続高機能電話サービスの宛先番号を通知されると、その宛先番号に対応する物理的接続先番号をゲートウェイ２３に通知する。
【００２４】
ゲートウェイ２３は、共通線網２４とインターネット３２とを接続するゲートウェイ装置である。ゲートウェイ２３は、加入者交換機２１、２２から共通線網２４を介して、無料接続高機能電話サービスの宛先番号を受けると、インターネット端末３１にアクセスしてその宛先番号に対応する物理的接続先番号を取得し、その物理的接続先番号を加入者交換機２１、２２に通知する。その際、ゲートウェイ２３は、インターネット端末３１にアクセスするために、所定の番号変換機能を利用して、無料接続高機能電話サービスの宛先番号から、その宛先番号に関する番号変換データを有するインターネット端末３１のアドレスを取得する。その番号変換機能は、ゲートウェイ２３が自ら備えていてもよく、またインターネット３２に接続された特定のインターネット端末（不図示）がゲートウェイ２３に提供可能に備えていてもよい。
【００２５】
次に、第１の実施形態による高機能電話サービスシステムの動作について説明する。ここでは、電話端末１１から“０１２０”で始まる宛先番号を指定した無料接続高機能電話サービスの発信があり、その呼を電話端末１４に接続するときの動作を示す。
【００２６】
図２は、第１の実施形態による高機能電話サービスシステムの動作例を示すシーケンス図である。図２を参照すると、電話端末１１の利用者が“０１２０”で始まる番号をダイヤルすると、電話端末１１は加入者交換機２１に対して無料接続高機能電話サービスの発信を行う（ステップ１０１）。このとき、利用者の指定した宛先番号は電話端末１１から加入者交換機２１に通知される。
【００２７】
電話端末１１から発信を受けた加入者交換機２１は、指定された宛先番号に対応する物理的接続先番号をゲートウェイ２３に問い合わせる（ステップ１０２）。ゲートウェイ２３は、その宛先番号の着信端末に関する番号変換データを記憶しているインターネット端末３１のアドレスを番号変換機能により取得し、物理的接続先番号をインターネット端末３１に問い合わせる（ステップ１０３）。
【００２８】
インターネット端末３１は、指定された宛先番号に対応する物理的接続先番号を求めてゲートウェイ２３に通知する（ステップ１０４）。ゲートウェイ２３は、その物理接続先番号を加入者交換機２１に通知する（ステップ１０５）。
【００２９】
ゲートウェイ２３から物理的接続先番号を取得した加入者交換機２１は、その物理的接続先番号の電話端末１４を収容している加入者交換機２２との間で呼接続を行う（ステップ１０６）。加入者交換機２２が電話端末１４に着信を知らせ（ステップ１０７）、着信側加入者が応答すると、通話が可能な状態となる（ステップ１０８）。
【００３０】
以上説明したように、本実施形態によれば、無料接続高機能電話サービスの番号変換データをグリッド化してインターネット端末３１に予め記録しておき、無料接続高機能電話サービスの発信を受けた加入者交換機２１が、指定された宛先番号に対応する物理的接続先番号をゲートウェイ２３に問合せ、ゲートウェイ２３が、その宛先番号の番号変換データを記憶しているインターネット端末３１を調べ、そのインターネット端末３１に物理的接続先番号を問合せ、加入者交換機２１がゲートウェイ２３を介してインターネット端末３１から取得した物理的接続先番号の電話端末１４に呼を接続するので、大量の番号変換データのテーブルを格納するデータベースを網設備として備える必要が無く、低コストで無料接続高機能電話サービスを提供することができる。また、グリッド化により番号変換データが複数のインターネット端末３１に分散して記憶されており、ゲートウェイ２３は、所望の宛先番号に関する番号変換データを有するインターネット端末３１に対して問合せを行うので、特定のインターネット端末３１へのアクセスの集中が起こり難い。
【００３１】
なお、本実施形態において、加入者交換機２１の運用業者は、無料接続高機能電話サービスの料金を着信側の電話端末１４に課金するが、インターネット端末３１から物理的接続先番号を取得したとき、電話端末１４に対する課金を減額することとしてもよい。また、加入者交換機２１の運用業者は、無料接続高機能電話サービスの物理的接続先番号をインターネット端末３１により提供する者に対して対価を支払うこととしてもよい。
【００３２】
これらによれば、インターネット端末３１による番号変換データの提供を拡大し、より多くの資源（ハードウェア等の２次記憶装置やＣＰＵ）をインターネット端末３１で代替することで網設備を更に軽減することができる。
【００３３】
（第２の実施形態）
図３は、本発明の第２の実施形態による高機能電話サービスシステムの構成を示すシステム構成図である。第２の実施形態として、“０５７０”で指定されるナビ接続高機能電話サービスを提供するシステムが例示される。ナビ接続高機能電話サービスとは、所定の宛先番号を指定した発信があると、その宛先番号に関する複数の着信候補のうち最適な電話端末を選択して接続するサービスである。例えば、通話料をできるだけ低額にするため、発信側に最も近い着信候補を最適な電話端末として選択する。
【００３４】
図３を参照すると、第２の実施形態による高機能電話サービスシステムは、電話端末１１〜１５、加入者交換機２１、２２、２５、ゲートウェイ２３、共通線網２４、インターネット端末３１、およびインターネット３２を有している。
【００３５】
加入者交換機２１、２２、２５、およびゲートウェイ２３は、共通線網２４で相互に接続されている。ゲートウェイ２３はさらにインターネット３２に接続されており、インターネット３２にはさらにインターネット端末３１が接続されている。また、加入者交換機２１には電話端末１１〜１３が収容され、加入者交換機２２には電話端末１４が収容され、加入者交換機２５には電話端末１５が収容されている。
【００３６】
電話端末１１〜１３は、通話等の電話サービスに用いられる端末であり、利用者の操作によりナビ接続高機能電話サービスの発信を行うことができる。
【００３７】
電話端末１４、１５は、電話端末１１〜１３と同様に電話サービスに用いられる端末であるが、ナビ接続高機能電話サービスの着信を行うことができる点で電話端末１１〜１３と異なる。本実施形態の電話端末１４、１５は、同じ宛先番号の着信候補であるとする。
【００３８】
加入者交換機２１、２２、２５は、加入者を収容する交換機であり、共通線信号網２４を用いて制御信号を送受信し、呼の接続および切断の処理を行う。また、加入者交換機２１、２２、２５は、収容している電話端末からナビ接続高機能電話サービスの発信を受けると、指定された宛先番号を伴ってゲートウェイ２３に問い合わせて、その宛先番号の着信候補のうち最適な電話端末の物理的接続先番号を取得し、その物理的接続先番号にナビ接続高機能電話サービス呼を接続する。なお、本実施形態では、発信側に最も近い着信候補を選択するために、加入者交換機２１、２２、２５は、ナビ接続高機能電話サービスの物理的接続先番号をゲートウェイ２３に問い合わせるとき、発信側の番号も通知するものとする。
【００３９】
インターネット端末３１は、インターネット３２に接続されており、インターネット３２経由でアクセスされる端末である。インターネット端末３１は、ナビ接続高機能電話サービスにおいて指定される宛先番号と、その宛先番号に対応する着信候補となる複数の電話端末の物理的接続先番号および端末情報との対応を示す番号変換データを予め記憶している。端末情報は、最適な着信候補を選択するのに用いられる情報であり、本実施形態の例では、その電話端末の設置場所などが考えられる。
【００４０】
ナビ接続高機能電話サービスの番号変換データは、ナビ接続高機能電話サービスの宛先番号毎にあるが、グリッド化されており複数のインターネット端末３１に分散して記憶されている。本実施形態では、インターネット端末３１は、電話端末１４、１５を着信候補とする宛先番号に関する番号変換データを記憶している。そして、ゲートウェイ２３からのアクセスでナビ接続高機能電話サービスの宛先番号を通知されると、その宛先番号に最適な物理的接続先番号をゲートウェイ２３に通知する。本実施形態では、発信番号から発信者の位置を割り出し、宛先番号に対応する着信候補の中から、発信者の位置に最も近いものを選択する。
【００４１】
ゲートウェイ２３は、共通線網２４とインターネット３２とを接続するゲートウェイ装置である。ゲートウェイ２３は、加入者交換機２１、２２、２５から共通線網２４を介して、ナビ接続高機能電話サービスの宛先番号を受けると、インターネット端末３１にアクセスしてその宛先番号に最適な物理的接続先番号を取得し、その物理的接続先番号を加入者交換機２１、２２、２５に通知する。その際、ゲートウェイ２３は、インターネット端末３１にアクセスするために、所定の番号変換機能を利用して、ナビ接続高機能電話サービスの宛先番号から、その宛先番号に関する番号変換データを有するインターネット端末３１のアドレスを取得する。その番号変換機能は、ゲートウェイ２３が自ら備えていてもよく、またインターネット３２に接続された特定のインターネット端末（不図示）がゲートウェイ２３に提供可能に備えていてもよい。
【００４２】
次に、第２の実施形態による高機能電話サービスシステムの動作について説明する。ここでは、電話端末１１から“０５７０”で始まる宛先番号を指定したナビ接続高機能電話サービスの発信があり、その呼を最適な電話端末１４に接続するときの動作を示す。
【００４３】
図４は、第２の実施形態による高機能電話サービスシステムの動作例を示すシーケンス図である。図４を参照すると、電話端末１１の利用者が“０５７０”で始まる番号をダイヤルすると、電話端末１１は加入者交換機２１に対してナビ接続高機能電話サービスの発信を行う（ステップ２０１）。このとき、利用者の指定した宛先番号は電話端末１１から加入者交換機２１に通知される。
【００４４】
電話端末１１から発信を受けた加入者交換機２１は、指定された宛先番号に対応する最適な着信端末の物理的接続先番号をゲートウェイ２３に問い合わせる（ステップ２０２）。ゲートウェイ２３は、その宛先番号の着信端末に関する番号変換データを記憶しているインターネット端末３１のアドレスを番号変換機能により取得し、最適な着信端末の物理的接続先番号をインターネット端末３１に問い合わせる（ステップ２０３）。
【００４５】
インターネット端末３１は、指定された宛先番号に対応する着信端末の中から最適な着信端末を選択し、その物理的接続先番号をゲートウェイ２３に通知する（ステップ２０４）。ゲートウェイ２３は、その物理接続先番号を加入者交換機２１に通知する（ステップ２０５）。
【００４６】
ゲートウェイ２３から物理的接続先番号を取得した加入者交換機２１は、その物理的接続先番号の電話端末１４を収容している加入者交換機２２との間で呼接続を行う（ステップ２０６）。加入者交換機２２が電話端末１４に着信を知らせ（ステップ２０７）、着信側加入者が応答すると、通話が可能な状態となる（ステップ２０８）。
【００４７】
以上説明したように、本実施形態によれば、ナビ接続高機能電話サービスの番号変換データをグリッド化してインターネット端末３１に予め記録しておき、ナビ接続高機能電話サービスの発信を受けた加入者交換機２１が、指定された宛先番号に対応する最適な着信端末の物理的接続先番号をゲートウェイ２３に問合せ、ゲートウェイ２３が、その宛先番号の番号変換データを記憶しているインターネット端末３１を調べ、そのインターネット端末３１に物理的接続先番号を問合せ、加入者交換機２１がゲートウェイ２３を介してインターネット端末３１から取得した物理的接続先番号の電話端末１４に呼を接続するので、大量の番号変換データのテーブルを格納するデータベースを網設備として備える必要が無く、低コストでナビ接続高機能電話サービスを提供することができる。また、グリッド化により番号変換データが複数のインターネット端末３１に分散して記憶されており、ゲートウェイ２３は、所望の宛先番号に関する番号変換データを有するインターネット端末３１に対して問合せを行うので、特定のインターネット端末３１へのアクセスの集中が起こり難い。
【００４８】
なお、本実施形態において、加入者交換機２１の運用業者は、ナビ接続高機能電話サービスにおいて、最適な着信端末の物理的接続先番号を提供したインターネット端末３１を運用する者に対して、情報提供の対価を支払うこととしてもよい。
【００４９】
これによれば、インターネット端末３１による番号変換データの提供を拡大し、より多くの資源（ハードウェア等の２次記憶装置やＣＰＵ）をインターネット端末３１で代替することで網設備を更に軽減することができる。
【図面の簡単な説明】
【００５０】
【図１】第１の実施形態による高機能電話サービスシステムの構成を示すシステム構成図である。
【図２】第１の実施形態による高機能電話サービスシステムの動作例を示すシーケンス図である。
【図３】第２の実施形態による高機能電話サービスシステムの構成を示すシステム構成図である。
【図４】第２の実施形態による高機能電話サービスシステムの動作例を示すシーケンス図である。
【符号の説明】
【００５１】
１１〜１５    電話端末
２１、２２、２５    加入者交換機
２３    ゲートウェイ
２４    共通線網
３１    インターネット端末
３２    インターネット
１０１〜１０８、２０１〜２０８    ステップ
【図１】
2007006262.tif 000003
【図２】
2007006262.tif 000004
【図３】
2007006262.tif 000005
【図４】
2007006262.tif 000006